【手続補正書】
【提出日】平成16年12月7日(2004.12.7)
【手続補正１】
【補正対象書類名】明細書
【補正対象項目名】発明の名称
【補正方法】変更
【補正の内容】
【発明の名称】ディジタルビデオ信号処理装置および方法、ディジタルビデオ信号再生装置、復号装置および方法、ならびに、再生装置および方法
【手続補正２】
【補正対象書類名】明細書
【補正対象項目名】特許請求の範囲
【補正方法】変更
【補正の内容】
【特許請求の範囲】
【請求項１】
磁気テープに記録された、ブロック単位で圧縮符号化された符号化データを再生し、符号化データを処理するディジタルビデオ信号処理装置において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理装置であって、
再生データの上記ユニット毎に、他のユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有することを特徴とするディジタルビデオ信号処理装置。
【請求項２】
磁気テープに記録された、ブロック単位で圧縮符号化されエラー訂正符号化されたデータを再生し、符号化データを処理するディジタルビデオ信号処理装置において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理装置であって、
エラー訂正を行うエラー訂正手段と、
上記エラー訂正手段によるエラー訂正が行われたデータを格納するメモリと、
上記メモリに書き込むデータが供給されると共に、上記メモリから読み出されたデータが供給され、上記メモリに対する上記データのアクセスの制御を行うメモリコントロール手段と、
上記メモリコントロール手段に供給されるデータと、上記メモリに書き込まれるデータと、上記メモリから読み出されるデータとに基づき、ユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有することを特徴とするディジタルビデオ信号処理装置。
【請求項３】
請求項２に記載のディジタルビデオ信号処理装置において、
上記メモリから読み出し中のシンクブロックが属するユニットと異なるユニットに属するシンクブロックを上記メモリに対して書き込まないようにしたことを特徴とするディジタルビデオ信号処理装置。
【請求項４】
請求項２に記載のディジタルビデオ信号処理装置において、
新しい上記ユニットのシンクブロックを上記メモリに書き込む前に、上記メモリの、該新しいユニットを構成する複数のシンクブロックが書き込まれるアドレスの対応する位置に、エラーフラグを立てることを特徴とするディジタルビデオ信号処理装置。
【請求項５】
請求項２に記載のディジタルビデオ信号処理装置において、
上記シンクブロックの混在が有る場合の確率が高いときであるか、上記シンクブロックの混在が無い場合の確率が高いときであるかを判断する判断手段をさらに有し、
上記判断手段の判断結果に基づき、上記シンクブロックの混在が無い場合の確率が高いとされたときには、上記復元手段による処理を行い、上記シンクブロックの混在が有る場合の確率が高いとされたときには、上記復元手段による処理を行わずに上記混在した上記シンクブロックを捨てるようにしたことを特徴とするディジタルビデオ信号処理装置。
【請求項６】
請求項５に記載のディジタルビデオ信号処理装置において、
上記判断手段は、磁気テープからディジタルビデオデータの再生される再生速度に基づき上記判断を行うことを特徴とするディジタルビデオ信号処理装置。
【請求項７】
請求項１または請求項２に記載のディジタルビデオ信号処理装置において、
上記エラー訂正手段は、積符号を用いたエラー訂正符号を復号化することによって上記エラー訂正を行い、磁気テープによる再生速度が通常の速度よりも速い高速再生の際には、内符号訂正のみを行うようにされたことを特徴とするディジタルビデオ信号処理装置。
【請求項８】
磁気テープに記録された、ブロック単位で圧縮符号化された符号化データを再生し、符号化データを処理するディジタルビデオ信号処理装置を用いたディジタルビデオ信号再生装置において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理装置であって、
再生データの上記ユニット毎に、他のユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有することを特徴とするディジタルビデオ信号処理装置を用いたディジタルビデオ信号再生装置。
【請求項９】
磁気テープに記録された、ブロック単位で圧縮符号化されエラー訂正符号化されたデータを再生し、符号化データを処理するディジタルビデオ信号処理装置を用いたディジタルビデオ信号再生装置において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理装置であって、
エラー訂正を行うエラー訂正手段と、
上記エラー訂正手段によるエラー訂正が行われたデータを格納するメモリと、
上記メモリに書き込むデータが供給されると共に、上記メモリから読み出されたデータが供給され、上記メモリに対する上記データのアクセスの制御を行うメモリコントロール手段と、
上記メモリコントロール手段に供給されるデータと、上記メモリに書き込まれるデータと、上記メモリから読み出されるデータとに基づき、ユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有することを特徴とするディジタルビデオ信号処理装置を用いたディジタルビデオ信号再生装置。
【請求項１０】
磁気テープに記録された、ブロック単位で圧縮符号化された符号化データを再生し、符号化データを処理するディジタルビデオ信号処理方法において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理方法であって、
再生データの上記ユニット毎に、他のユニットのシンクブロックの混在の有無を検出する検出のステップと、
上記検出のステップによる検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたディジタルビデオデータを上記ブロック単位で復号処理する復号のステップと
を有することを特徴とするディジタルビデオ信号処理方法。
【請求項１１】
磁気テープに記録された、ブロック単位で圧縮符号化されエラー訂正符号化されたデータを再生し、符号化データを処理するディジタルビデオ信号処理方法において、
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを処理するディジタルビデオ信号処理方法であって、
エラー訂正を行うエラー訂正のステップと、
上記エラー訂正のステップによるエラー訂正が行われたデータを格納するメモリと、
上記メモリに書き込むデータが供給されると共に、上記メモリから読み出されたデータが供給され、上記メモリに対する上記データのアクセスの制御を行うメモリコントロールのステップと、
上記メモリコントロールのステップに供給されるデータと、上記メモリに書き込まれるデータと、上記メモリから読み出されるデータとに基づき、ユニットのシンクブロックの混在の有無を検出する検出のステップと、
上記検出のステップによる検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたディジタルビデオデータを上記ブロック単位で復号処理する復号のステップと
を有することを特徴とするディジタルビデオ信号処理方法。
【請求項１２】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号装置であって、
上記ユニット毎に、他のユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたデータを上記ブロック単位で復号処理する復号手段と
を有する復号装置。
【請求項１３】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号装置であって、
上記符号化データのエラー訂正を行うエラー訂正手段と、
上記エラー訂正手段によるエラー訂正が行われたデータを格納するメモリと、
上記メモリに書き込むデータが供給されると共に、上記メモリから読み出されたデータが供給され、上記メモリに対する上記データのアクセスの制御を行うメモリコントロール手段と、
上記メモリコントロール手段に供給されるデータと、上記メモリに書き込まれるデータと、上記メモリから読み出されるデータとに基づき、ユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたデータを上記ブロック単位で復号処理する復号手段と
を有する復号装置。
【請求項１４】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生装置であって、
上記記録媒体から上記符号化データを再生処理する再生手段と、
上記再生手段により再生処理された再生データの上記ユニット毎に、他のユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有する再生装置。
【請求項１５】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生装置であって、
上記記録媒体から上記符号化データを再生処理する再生手段と、
上記再生手段により再生処理された再生データのエラー訂正を行うエラー訂正手段と、
上記エラー訂正手段によるエラー訂正が行われたデータを格納するメモリと、
上記メモリに書き込むデータが供給されると共に、上記メモリから読み出されたデータが供給され、上記メモリに対する上記データのアクセスの制御を行うメモリコントロール手段と、
上記メモリコントロール手段に供給されるデータと、上記メモリに書き込まれるデータと、上記メモリから読み出されるデータとに基づき、ユニットのシンクブロックの混在の有無を検出する検出手段と、
上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、
上記アンパッキング手段から出力されたディジタルビデオデータを上記ブロック単位で復号処理する復号手段と
を有する再生装置。
【請求項１６】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号方法であって、
上記ユニット毎に、他のユニットのシンクブロックの混在の有無を検出する検出のステップと、
上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたデータを上記ブロック単位で復号処理する復号のステップと
を有する復号方法。
【請求項１７】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号方法であって、
上記符号化データのエラー訂正を行うエラー訂正のステップと、
上記エラー訂正のステップによるエラー訂正が行われたデータをメモリに格納するステップと、
上記メモリに書き込むデータが供給されると共に、上記メモリから読み出されたデータが供給され、上記メモリに対する上記データのアクセスの制御を行うメモリコントロールのステップと、
上記メモリコントロールのステップに供給されるデータと、上記メモリに書き込まれるデータと、上記メモリから読み出されるデータとに基づき、ユニットのシンクブロックの混在の有無を検出する検出のステップと、
上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたデータを上記ブロック単位で復号処理する復号のステップと
を有する復号方法。
【請求項１８】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生方法であって、
上記記録媒体から上記符号化データを再生処理する再生のステップと、
上記再生のステップにより再生処理された再生データの上記ユニット毎に、他のユニットのシンクブロックの混在の有無を検出する検出のステップと、
上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたディジタルビデオデータを上記ブロック単位で復号処理する復号のステップと
を有する再生方法。
【請求項１９】
ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生方法であって、
上記記録媒体から上記符号化データを再生処理する再生のステップと、
上記再生のステップにより再生処理された再生データのエラー訂正を行うエラー訂正のステップと、
上記エラー訂正のステップによるエラー訂正が行われたデータをメモリに格納するステップと、
上記メモリに書き込むデータが供給されると共に、上記メモリから読み出されたデータが供給され、上記メモリに対する上記データのアクセスの制御を行うメモリコントロールのステップと、
上記メモリコントロールのステップに供給されるデータと、上記メモリに書き込まれるデータと、上記メモリから読み出されるデータとに基づき、ユニットのシンクブロックの混在の有無を検出する検出のステップと、
上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、
上記アンパッキングのステップから出力されたディジタルビデオデータを上記ブロック単位で復号処理する復号のステップと
を有する再生方法。
【手続補正３】
【補正対象書類名】明細書
【補正対象項目名】０００１
【補正方法】変更
【補正の内容】
【０００１】
【発明の属する技術分野】
この発明は、ブロック単位でディジタルビデオ信号の圧縮符号化を行うようなディジタルビデオ信号処理装置および方法、ディジタルビデオ信号再生装置、復号装置および方法、ならびに、再生装置および方法に関する。
【手続補正４】
【補正対象書類名】明細書
【補正対象項目名】００３７
【補正方法】変更
【補正の内容】
【００３７】
したがって、この発明の目的は、複数のシンクブロックからなるパッキングユニット単位でデータを扱う場合において、変速再生時でも、高域成分までを用いた圧縮符号化のデコード処理を行い、良好な再生画像を得ることができるようなディジタルビデオ信号処理装置および方法、ディジタルビデオ信号再生装置、復号装置および方法、ならびに、再生装置および方法を提供することにある。
【手続補正５】
【補正対象書類名】明細書
【補正対象項目名】００４３
【補正方法】変更
【補正の内容】
【００４３】
また、この発明は、上述した課題を解決するために、磁気テープに記録された、ブロック単位で圧縮符号化されエラー訂正符号化されたデータを再生し、符号化データを処理するディジタルビデオ信号処理方法において、ブロック単位の圧縮符号化により発生した符号化データが所定数のシンクブロックからなるユニット単位にパッキングされ、符号化データが１つのシンクブロックに格納できないときに、ユニット内の他のシンクブロックに格納できない符号化データが格納されるようにした符号化データを処理するディジタルビデオ信号処理方法であって、エラー訂正を行うエラー訂正のステップと、エラー訂正のステップによるエラー訂正が行われたデータを格納するメモリと、メモリに書き込むデータが供給されると共に、メモリから読み出されたデータが供給され、メモリに対するデータのアクセスの制御を行うメモリコントロールのステップと、メモリコントロールのステップに供給されるデータと、メモリに書き込まれるデータと、メモリから読み出されるデータとに基づき、ユニットのシンクブロックの混在の有無を検出する検出のステップと、検出のステップによる検出結果に基づき、シンクブロックの混在が無い場合には、他のシンクブロックに格納された符号化データを１つのシンクブロックに戻し、シンクブロックの混在が有る場合には、混在したシンクブロックを無効とするようにしたアンパッキングのステップと、アンパッキングのステップから出力されたディジタルビデオデータをブロック単位で復号処理する復号のステップとを有することを特徴とするディジタルビデオ信号処理方法である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号装置であって、上記ユニット毎に、他のユニットのシンクブロックの混在の有無を検出する検出手段と、上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、上記アンパッキング手段から出力されたデータを上記ブロック単位で復号処理する復号手段とを有する復号装置である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号装置であって、上記符号化データのエラー訂正を行うエラー訂正手段と、上記エラー訂正手段によるエラー訂正が行われたデータを格納するメモリと、上記メモリに書き込むデータが供給されると共に、上記メモリから読み出されたデータが供給され、上記メモリに対する上記データのアクセスの制御を行うメモリコントロール手段と、上記メモリコントロール手段に供給されるデータと、上記メモリに書き込まれるデータと、上記メモリから読み出されるデータとに基づき、ユニットのシンクブロックの混在の有無を検出する検出手段と、上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、上記アンパッキング手段から出力されたデータを上記ブロック単位で復号処理する復号手段とを有する復号装置である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生装置であって、上記記録媒体から上記符号化データを再生処理する再生手段と、上記再生手段により再生処理された再生データの上記ユニット毎に、他のユニットのシンクブロックの混在の有無を検出する検出手段と、上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、上記アンパッキング手段から出力されたディジタルビデオデータを上記ブロック単位で復号処理する復号手段とを有する再生装置である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生装置であって、上記記録媒体から上記符号化データを再生処理する再生手段と、上記再生手段により再生処理された再生データのエラー訂正を行うエラー訂正手段と、上記エラー訂正手段によるエラー訂正が行われたデータを格納するメモリと、上記メモリに書き込むデータが供給されると共に、上記メモリから読み出されたデータが供給され、上記メモリに対する上記データのアクセスの制御を行うメモリコントロール手段と、上記メモリコントロール手段に供給されるデータと、上記メモリに書き込まれるデータと、上記メモリから読み出されるデータとに基づき、ユニットのシンクブロックの混在の有無を検出する検出手段と、上記検出手段の検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキング手段と、上記アンパッキング手段から出力されたディジタルビデオデータを上記ブロック単位で復号処理する復号手段とを有する再生装置である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号方法であって、上記ユニット毎に、他のユニットのシンクブロックの混在の有無を検出する検出のステップと、上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、上記アンパッキングのステップから出力されたデータを上記ブロック単位で復号処理する復号のステップとを有する復号方法。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを復号処理する復号方法であって、上記符号化データのエラー訂正を行うエラー訂正のステップと、上記エラー訂正のステップによるエラー訂正が行われたデータをメモリに格納するステップと、上記メモリに書き込むデータが供給されると共に、上記メモリから読み出されたデータが供給され、上記メモリに対する上記データのアクセスの制御を行うメモリコントロールのステップと、上記メモリコントロールのステップに供給されるデータと、上記メモリに書き込まれるデータと、上記メモリから読み出されるデータとに基づき、ユニットのシンクブロックの混在の有無を検出する検出のステップと、上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、上記アンパッキングのステップから出力されたデータを上記ブロック単位で復号処理する復号のステップとを有する復号方法である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生方法であって、上記記録媒体から上記符号化データを再生処理する再生のステップと、上記再生のステップにより再生処理された再生データの上記ユニット毎に、他のユニットのシンクブロックの混在の有無を検出する検出のステップと、上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、上記アンパッキングのステップから出力されたディジタルビデオデータを上記ブロック単位で復号処理する復号のステップとを有する再生方法である。
また、この発明は、ブロック単位の圧縮符号化により発生した符号化データが所定数のシンクブロックからなるユニット単位にパッキングされ、上記符号化データが１つの上記シンクブロックに格納できないときに、上記ユニット内の他の上記シンクブロックに上記格納できない上記符号化データが格納されるようにした符号化データを記録媒体から再生処理する再生方法であって、上記記録媒体から上記符号化データを再生処理する再生のステップと、上記再生のステップにより再生処理された再生データのエラー訂正を行うエラー訂正のステップと、上記エラー訂正のステップによるエラー訂正が行われたデータをメモリに格納するステップと、上記メモリに書き込むデータが供給されると共に、上記メモリから読み出されたデータが供給され、上記メモリに対する上記データのアクセスの制御を行うメモリコントロールのステップと、上記メモリコントロールのステップに供給されるデータと、上記メモリに書き込まれるデータと、上記メモリから読み出されるデータとに基づき、ユニットのシンクブロックの混在の有無を検出する検出のステップと、上記検出のステップの検出結果に基づき、上記シンクブロックの混在が無い場合には、上記他のシンクブロックに格納された上記符号化データを上記１つのシンクブロックに戻し、上記シンクブロックの混在が有る場合には、上記混在した上記シンクブロックを無効とするようにしたアンパッキングのステップと、上記アンパッキングのステップから出力されたディジタルビデオデータを上記ブロック単位で復号処理する復号のステップとを有する再生方法である。